(57)【特許請求の範囲】
【請求項１】
地面に形成された穿孔ホールの内部に挿入される固定部材と、
前記固定部材の下部に配置され、前記固定部材に対して上下方向にスラィディング可能に装着され、前記穿孔ホールの外部に連結された引張線によって上下方向に移動する移動部材と、
下部が前記固定部材に回転可能にヒンジ結合された多数個の羽根部材と、
前記羽根部材の下部を前記固定部材に回転可能にヒンジ結合する回転ピンと、を含んで成り、
前記羽根部材は、前記移動部材の上昇により前記固定部材に対して上部と下部とが側方向に一緒に移動した後、上部が下部を中心に回転して展開されることを特徴とする多段拡張型アースアンカーアセンブリ。
【請求項２】
前記移動部材はガイド突起が形成され、
前記羽根部材は、前記移動部材の上昇時に前記ガイド突起に接して側方向に移動した後、回転展開されることを特徴とする請求項１に記載の多段拡張型アースアンカーアセンブリ。
【請求項３】
前記固定部材の内部には下方向に開放されたガイド孔が形成されており、
前記ガイド孔には、前記ガイド突起が上下方向にスライディング可能に挿入され、
前記ガイド孔は、前記羽根部材が配置された側方向に開放形成され、
前記ガイド突起は、側方向に開放された前記ガイド孔を介して前記羽根部材と接することを特徴とする請求項２に記載の多段拡張型アースアンカーアセンブリ。
【請求項４】
前記羽根部材には開放された前記ガイド孔の側方向に挿入される挿入突起が形成され、
前記挿入突起は前記ガイド孔を介して前記ガイド突起と接することを特徴とする請求項３に記載の多段拡張型アースアンカーアセンブリ。
【請求項５】
前記ガイド突起の側面には第１の傾斜面が形成され、
前記羽根部材には前記第１の傾斜面と接する第２の傾斜面が形成され、
前記回転ピンが結合する前記羽根部材の下部と前記固定部材のうちいずれか一つ以上には、前記羽根部材が移動する側方向にスライド孔が長く形成されたことを特徴とする請求項２乃至４のうちいずれかに一つに記載の多段拡張型アースアンカーアセンブリ。
【請求項６】
前記移動部材の上昇時に前記第１の傾斜面と第２の傾斜面は相互接しながら前記移動部材が前記羽根部材を側方向に押し、
前記回転ピンが前記スライド孔に沿って移動する間、前記羽根部材は上部と下部とが一緒に側方向に移動し、
前記回転ピンが前記スライド孔の末端に到達すると、前記羽根部材は下部に結合された前記回転ピンを中心に上部が回転して展開されることを特徴とする請求項５に記載の多段拡張型アースアンカーアセンブリ。
【請求項７】
前記固定部材の上部を貫通して前記移動部材の上部に結合される締結部材と、
前記締結部材の上部と前記固定部材の上部との間に挿入配置されるバネをさらに含んで成り、
前記移動部材が前記固定部材から下方向に離れるほど前記バネは圧縮されることを特徴とする請求項１に記載の多段拡張型アースアンカーアセンブリ。
【請求項８】
前記羽根部材を外周面を覆うように装着され、前記羽根部材の展開を阻止するバンド部材と、
前記バンド部材を一端と他端とが分離された帯状に解除する解除部をさらに含んで成ることを特徴とする請求項１に記載の多段拡張型アースアンカーアセンブリ。
【発明の詳細な説明】
【技術分野】
【０００１】
本発明は、多段拡張型アースアンカーアセンブリに関し、特に地面に形成された穿孔ホールに挿入されて穿孔ホールの内壁に密着固定される多段拡張型アースアンカーアセンブリに関する。
【背景技術】
【０００２】
一般的なアンカー（Ａｎｃｈｏｒ）工法は、建設工事で発生する土圧、風圧、水圧、地震力などの外力に対応するアンカー力として利用され又は、構造体の応力補強用に使用されており、これは主に斜面保護、擁壁、掘削面アンカー及び両圧力の基礎アンカーなどに多く使われている。
【０００３】
現在では、アンカーの設計及び施工技術の発達で過密荷重が作用する高いタワーや橋の基礎などで利用され、プラント、ダム、トンネルなど全ての分野で適用されている実情である。
【０００４】
これらのアンカー工法に適用される永久アンカーは、斜面の安定化のために斜面内部に形成された穿孔ホールに挿入されるものであって、アンカーの主な構成要素として、斜面内部に形成された穿孔ホールに挿入される永久アンカーは、斜面内部の底近くまで位置する定着部（Ｆｉｘｅｄ  Ａｎｃｈｏｒ  Ｌｅｎｇｔｈ）と、定着部から斜面の表面まで位置する自由部（Ｆｒｅｅ  Ａｎｃｈｏｒ  Ｌｅｎｇｔｈ）、斜面表面から永久アンカーを固定させるための頭部（Ａｎｃｈｏｒ  Ｈｅａｄ）とに分けられる。
【０００５】
このように斜面に形成された穿孔ホールに永久アンカーアセンブリが挿入された後、斜面に永久アンカーを堅固に固定させるために永久アンカーと連結された引張棒を斜面の外部から最大限引抜させて緊張させた後、ホール内部にモルタル又はコンクリートなどを詰めた後に固められ、また、斜面の表面上に露出された引張棒を支圧板などを利用して固定させる。
【０００６】
これらのアンカー工法において、永久アンカーは穿孔ホール内に挿入された後、引張棒により引張る時に大きな引張力を得るために穿孔ホールの内壁に強い支圧力で定着固定されなければならない。
上記のように、穿孔ホールの内壁に定着固定されるアースアンカー構造体は、特許文献１、特許文献２などに掲載されている。
しかし、このような従来のアースアンカー構造体は、岩盤用と軟弱地盤用とに区分され、別途作製されて使用されている。
岩盤用の場合には、一般的に穿孔ホールの内壁に密着される羽根部材が水平方向に並進運動して穿孔ホールの内壁に密着される。
軟弱地盤用の場合には、一般的に羽根部材が回転して穿孔ホールの内壁に挿入されるようになっている。
従って、作業者は、岩盤用と軟弱地盤用とをそれぞれ備えなければならないので、費用負担が大きくなる。
【０００７】
また、穿孔ホールの内壁に定着される前記羽根部材が並進運動と回転運動のうちいずれかの過程のみを介して展開されるので、羽根部材が穿孔ホールの内壁に、より強く定着されるのに限界があった。
【先行技術文献】
【特許文献】
【０００８】
【特許文献１】大韓民国公開特許公報第１０−２０１２−００９２３５８号
【特許文献２】大韓民国公開特許公報第１０−２０１２−００８５３５２号
【発明の概要】
【発明が解決しようとする課題】
【０００９】
本発明は、上述した問題点を解決するためのものであって、岩盤用及び軟弱地盤用に使用することができ、穿孔ホールの内壁に密着固定される羽根部材が並進運動と回転運動とによって穿孔ホールの内壁に、より強く定着固定される多段拡張型アースアンカーアセンブリを提供するところにその目的がある。
【課題を解決するための手段】
【００１０】
上記目的を達成するために、本発明の多段拡張型アースアンカーアセンブリは、地面に形成された穿孔ホールの内部に挿入される固定部材と、前記固定部材の下部に配置され、前記固定部材に対して上下方向にスライディング可能に装着され、前記穿孔ホールの外部に連結された引張線によって上下方向に移動する移動部材と、下部が前記固定部材に回転可能にヒンジ結合された多数個の羽根部材と、前記羽根部材の下部を前記固定部材に回転可能にヒンジ結合する回転ピンと、を含んで成り、前記羽根部材は前記移動部材の上昇により前記固定部材に対して上部と下部とが側方向に一緒に移動した後、上部が下部を中心に回転されて展開されることを特徴とする。
前記移動部材はガイド突起が形成され、前記羽根部材は前記移動部材の上昇時に前記ガイド突起に接して側方向に移動した後、回転展開される。
【００１１】
前記固定部材の内部には、下方向に開放されたガイド孔が形成されており、前記ガイド孔には、前記ガイド突起が上下方向にスライディング可能に挿入され、前記ガイド孔は前記羽根部材が配置された側方向に開放形成され、前記ガイド突起は側方向に開放された前記ガイド孔を介して前記羽根部材と接する。
前記羽根部材には開放された前記ガイド孔の側方向に挿入される挿入突起が形成され、前記挿入突起は前記ガイド孔を介して前記ガイド突起と接する。
【００１２】
前記ガイド突起の側面には第１の傾斜面が形成され、前記羽根部材には前記第１の傾斜面と接する第２の傾斜面が形成され、前記回転ピンが結合する前記羽根部材の下部と前記固定部材のうちいずれか一つ以上には前記羽根部材が移動する側方向にスライド孔が長く形成される。
【００１３】
前記移動部材の上昇時に、前記第１の傾斜面と第２の傾斜面は、相互接しながら前記移動部材が前記羽根部材を側方向に押し、前記回転ピンが前記スライド孔に沿って移動する間、前記羽根部材は上部と下部とが一緒に側方向に移動し、前記回転ピンが前記スライド孔の末端に到達すると、前記羽根部材は下部に結合された前記回転ピンを中心に上部が回転して展開される。
【００１４】
前記固定部材の上部を貫通して前記移動部材の上部に結合される締結部材と、前記締結部材の上部と前記固定部材の上部との間に挿入配置されるバネをさらに含んで成り、前記移動部材が前記固定部材から下方向に離れるほど前記バネは圧縮される。
【００１５】
前記羽根部材を外周面を覆うように装着されて前記羽根部材の展開を阻止するバンド部材と、前記バンド部材を一端と他端とが分離された帯状に解除する解除部をさらに含んで成る。
【発明の効果】
【００１６】
以上で説明したように、本発明の多段拡張型アースアンカーアセンブリによると、次のような効果がある。本発明は、一つのアースアンカーアセンブリを利用して岩盤用及び軟弱地盤用に使用することができ、互換性に優れてそれに伴うコストを削減することができる。また、穿孔ホールの内壁に密着固定される羽根部材が並進運動と回転運動とによって穿孔ホールの内壁に、より強く定着固定される。特に、羽根部材が穿孔ホールの内壁が配置された側方向に並進移動した後、上部が下部を中心に回転して展開されるので、岩盤及び軟弱地盤に使用することができ、より強い固定力を発生させることができる。
【図面の簡単な説明】
【００１７】
【図１】本発明の実施形態に係る多段拡張型アースアンカーアセンブリの斜視図である。
【図２】本発明の実施形態に係る多段拡張型アースアンカーアセンブリの分解斜視図である。
【図３】図１のＡ−Ａ’線を切った断面図である。
【図４】本発明の実施形態に係るバンド部材を解除部で解除する過程を示す過程図である。
【図５】本発明の実施形態に係る多段拡張型アースアンカーアセンブリを穿孔ホールに挿入した状態の構造図である。
【図６】図５においてバンド部材を除去した状態の構造図である。
【図７】図６において移動部材を１次上昇させた状態の構造図である。
【図８】図７において移動部材を２次上昇させた状態の構造図である。
【発明を実施するための形態】
【００１８】
図１は本発明の実施形態に係る多段拡張型アースアンカーアセンブリの斜視図であり、図２は本発明の実施形態に係る多段拡張型アースアンカーアセンブリの分解斜視図、図３は図１のＡ-Ａ’線を切った断面図、図４は本発明の実施形態に係るバンド部材を解除部で解除する過程を示す過程図、図５は本発明の実施形態に係る多段拡張型アースアンカーアセンブリを穿孔ホールに挿入した状態の構造図である。
【００１９】
図１乃至図５に示すように、本発明の多段拡張型アースアンカーアセンブリは、固定部材１０と、移動部材２０と、羽根部材３０と、回転ピン４０、締結部材５１と、バネ５２と、バンド部材５３と、解除部５４と、を有する。
前記固定部材１０は、地面に形成された穿孔ホール６０の内部に挿入される。
前記固定部材１０の内部には、下方向に開放されたガイド孔１１が形成されている。
【００２０】
本実施形態において、前記固定部材１０は、‘＋’状の断面を持つように形成されており、前記ガイド孔１１は前記固定部材１０の内部で‘＋’状の断面を持つように形成される。
また、前記ガイド孔１１は下方向だけでなく、前記羽根部材３０が配置された側方向にも開放されている。
前記移動部材２０は、前記固定部材１０の下部に配置され、前記固定部材１０に対して上下方向にスライディング可能に装着される。
前記移動部材２０は、前記穿孔ホール６０の外部に連結された鋼線ワイヤなどの引張線７０によって上下方向に移動される。
前記移動部材２０には、上方向にガイド突起２１が突出形成されている。
【００２１】
前記ガイド突起２１は、前記ガイド孔１１に挿入されて上下方向にスライドされることにより、前記移動部材２０が前記固定部材１０に対して上下方向にスライディング可能に結合される。
前記ガイド突起２１は、‘＋’状の断面を持つように形成される。
【００２２】
また、前記移動部材２０の下部には、別途の牽引部材（図示せず）を装着することもでき、前記引張線７０は前記移動部材２０に結合され又は、別途の牽引部材などに結合することもできる。
前記羽根部材３０は、多数個から成り前記固定部材１０の外郭に配置され、下部が前記固定部材１０に回転可能にヒンジ結合される。
前記羽根部材３０の外側面には、多数個の固定ラッチ３４が形成されている。
前記羽根部材３０は、前記回転ピン４０により前記固定部材１０に回転可能にヒンジ結合される。
前記羽根部材３０には、開放された前記ガイド孔１１の側方向に挿入される挿入突起３１が形成されている。
前記挿入突起３１は、側方向に開放された前記ガイド孔１１を介して前記ガイド突起２１と接する。
【００２３】
前記羽根部材３０は、前記移動部材２０の上昇により、１次的に前記固定部材１０に対して上部と下部とが側方向に一緒に水平移動した後、２次的に前記羽根部材３０の上部が下部を中心に回転して展開される。
より詳細には、前記羽根部材３０は前記移動部材２０の上昇時に前記ガイド突起２１に接して側方向に移動した後、回転展開される。
このため、前記ガイド突起２１の側面には第１の傾斜面２２が形成され、前記羽根部材３０には前記第１の傾斜面２２と接する第２の傾斜面３２が形成される。
【００２４】
また、前記回転ピン４０が結合する前記羽根部材３０の下部と前記固定部材１０のうちいずれか一つ以上には、前記羽根部材３０が移動する側方向にスライド孔３３が長く形成される。
本実施形態では、前記羽根部材３０の下部に前記スライド孔３３を側方向に長く形成した。
従って、前記移動部材２０の上昇時に前記第１の傾斜面２２と第２の傾斜面３２は相互接しながら、前記移動部材２０が前記羽根部材３０を側方向に押す。
【００２５】
これにより、前記回転ピン４０が前記スライド孔３３に沿って移動する間、前記羽根部材３０は、上部と下部とが一緒に側方向に水平移動し、前記回転ピン４０が前記スライド孔３３の末端に到達すると、前記羽根部材３０は下部に結合された前記回転ピン４０を中心に上部が回転して展開される。
前記締結部材５１は、前記固定部材１０の上部を貫通して前記移動部材２０の上部に結合される。
前記締結部材５１は、ボルトなどから成る。
前記バネ５２はコイルバネから成り、前記締結部材５１を覆いながら前記締結部材５１の上部と前記固定部材１０の上部との間に挿入配置される。
前記バネ５２は、前記移動部材２０が前記固定部材１０から下方向に離れるほど圧縮されて、弾性復元力を持つ。
前記バンド部材５３は帯状から成り前記羽根部材３０を外周面を覆うように装着される。
前記バンド部材５３により前記羽根部材３０が任意に展開されることを阻止することができる。
前記解除部５４は前記バンド部材５３に連結され、前記バンド部材５３を一端と他端とが分離された帯状に解除する役割をする。
【００２６】
一例として、図４（ａ）に示すように、帯状に展開された前記バンド部材５３の一端と他端とを固定ピンワイヤなどから成る前記解除部５４を利用して相互結合することによってリング状になる。
【００２７】
従って、図４（ｂ）に示すように、前記解除部５４を作業者が引張ると、前記バンド部材５３の一端と他端は、その結合が解除されて、前記バンド部材５３はリング状から一端と他端とが離隔された帯状に解除される。
前記解除部５４は、上述した構造の他にも様々な構造から成り前記バンド部材５３を帯状に解除又は切断することができる。
以下、上述した構成から成る本発明の設置プロセスについて説明する。
【００２８】
図５は本発明の実施形態に係る多段拡張型アースアンカーアセンブリを穿孔ホールに挿入した状態の構造図であり、図６は図５においてバンド部材５３を除去した状態の構造図、図７は図６において移動部材を１次上昇させた状態の構造図、図８は図７において移動部材を２次上昇させた状態の構造図である。
図１に示すように、前記バンド部材５３が装着された状態で前記羽根部材３０は任意に展開されない。
【００２９】
この状態では、前記移動部材２０が前記固定部材１０から離れているので、前記締結部材５１の上部が前記固定部材１０の上部に隣接して配置され、前記バネ５２は圧縮された状態にある。
これらのアースアンカーアセンブリを図５に示すように、前記移動部材２０の下部を先頭にして前記穿孔ホール６０に挿入する。
この時、前記アースアンカーアセンブリは、前記引張線７０によって連結された状態から前記穿孔ホール６０に挿入される。
前記アースアンカーアセンブリが、前記穿孔ホール６０の適正位置に達すると、作業者が前記解除部５４を利用して前記バンド部材５３を解除する。
すると、図６に示すように、圧縮されていた前記バネ５２の弾性復元力により前記移動部材２０は上昇する。
【００３０】
前記移動部材２０が上昇するにつれて、前記ガイド突起２１が上昇し、これにより、前記第１の傾斜面２２と第２傾斜面３２は接しながら前記羽根部材３０は側方向に押される。
この時、前記羽根部材３０の下部には、側方向に前記スライド孔３３が形成されており、前記羽根部材３０は前記スライド孔３３に沿って側方向に移動される。
【００３１】
側方向に移動された前記羽根部材３０は、外側面に形成された前記固定ラッチ３４が、前記穿孔ホール６０の内壁に密着されて、或る程度固定されることになる。
【００３２】
このような状態で、図７に示すように、外部から前記引張線７０を引張ると、前記移動部材２０は、より上昇しながら前記羽根部材３０を側方向にさらに押すようになる。
【００３３】
この時、１次的に前記羽根部材３０は前記スライド孔３３の末端が、前記回転ピン４０に接するまで、前記第１の傾斜面２２と第２の傾斜面３２の面接触により前記羽根部材３０の上部と下部とが一緒に側方向に移動する。
これにより、前記羽根部材３０は上部から下部まで全体的に前記穿孔ホール６０の内壁に強く密着されながら挿入される。
【００３４】
図８に示すように、前記移動部材２０がさらに上昇すると、２次的に前記羽根部材３０は、前記回転ピン４０が結合された下部を中心に上部が前記固定部材１０から離れる方向に広がるようになる。
【００３５】
即ち、前記第１の傾斜面２２と第２の傾斜面３２により前記移動部材２０が、前記羽根部材３０を側方向に押すと、前記スライド孔３３の末端に前記回転ピン４０が接しているので、前記羽根部材３０は、これ以上側方向に移動できず、前記回転ピン４０が装着された下部を中心に上部が回転する。
【００３６】
前記羽根部材３０の回転による展開により、前記羽根部材３０の上部は、前記穿孔ホール６０の内壁にさらに深く挿入され、これによりアースアンカーアセンブリは、前記穿孔ホール６０から分離離脱されず、強く定着固定される。
アースアンカーアセンブリが、前記穿孔ホール６０に固定設置されると、前記穿孔ホール６０にコンクリートを注ぎ入れて硬化させる。
【００３７】
上記のように、本発明は、アースアンカーアセンブリが側方向に並進移動した後、回転して展開されるので、固い岩盤だけでなく風土地層などの軟弱地盤などでも一つの装備を介して使用することができるので、互換性に優れている。
【００３８】
本発明に係る多段拡張型アースアンカーアセンブリは、上述した実施形態に限らず、本発明の技術思想が許容される範囲内で様々に変形して実施することができる。
【符号の説明】
【００３９】
１０  固定部材
１１  ガイド孔
２０  移動部材
２１  ガイド突起
２２  第１の傾斜面
３０  羽根部材
３１  挿入突起
３２  第２の傾斜面
３３  スライド孔
３４  固定ラッチ
４０  回転ピン
５１  締結部材
５２  バネ
５３  バンド部材
５４  解除部
６０  穿孔ホール
７０  引張線
【図１】
0005936740.tif 000002
【図２】
0005936740.tif 000003
【図３】
0005936740.tif 000004
【図４】
0005936740.tif 000005
【図５】
0005936740.tif 000006
【図６】
0005936740.tif 000007
【図７】
0005936740.tif 000008
【図８】
0005936740.tif 000009